(57)【要約】【課題】  電力供給する複数発電機の運転計画生成にかかる時間を短縮する。【解決手段】  エネルギー供給網から需要家へエネルギーを供給する複数の設備機器の運転計画を生成する設備機器運転計画生成装置において、前記複数の設備機器を複数のグループに分け、前記設備機器の出力の大きさに対するエネルギー消費量を表す機器単位特性情報から、グループ単位の出力の大きさに対するエネルギー消費量を表すグループ単位特性情報を生成するグループ単位特性生成部と、前記需要家の需要予測情報及び前記グループ単位特性情報に基づいて、前記グループにおける複数の設備機器を一つの設備機器と見做してグループ単位運転計画情報を生成するグループ単位計画生成部と、前記グループ単位運転計画情報、及びそのグループに含まれる設備機器の前記機器単位特性情報に基づいて、設備機器毎の運転計画を生成する設備単位計画生成部と、を備える。【選択図】  図１
2018106431.tif 000002
【特許請求の範囲】
【請求項１】
エネルギー供給網から需要家へエネルギーを供給する複数の設備機器の運転計画を生成する設備機器運転計画生成装置において、
前記複数の設備機器を複数のグループに分け、前記設備機器の出力の大きさに対するエネルギー消費量を表す機器単位特性情報から、グループ単位の出力の大きさに対するエネルギー消費量を表すグループ単位特性情報を生成するグループ単位特性生成部と、
前記需要家の需要予測情報及び前記グループ単位特性情報に基づいて、前記グループにおける複数の設備機器を一つの設備機器と見做してグループ単位運転計画情報を生成するグループ単位計画生成部と、
前記グループ単位運転計画情報、及びそのグループに含まれる設備機器の前記機器単位特性情報に基づいて、設備機器毎の運転計画を生成する設備単位計画生成部と、
を備えること特徴とする設備機器運転計画生成装置。
【請求項２】
請求項１に記載の設備機器運転計画生成装置であって、
前記エネルギー供給網には、電力系統、又は熱供給系統の内少なくとも一つを含むこと
を特徴とする設備機器運転計画生成装置。
【請求項３】
請求項１に記載の設備機器運転計画生成装置であって、
前記設備機器は、発電機、冷凍機、温水器、又はボイラーの内少なくとも一つを含むこと
を特徴とする設備機器運転計画生成装置。
【請求項４】
請求項１に記載の設備機器運転計画生成装置であって、
前記設備機器を運転するために必要なコストには、前記設備機器を稼動させる為に購入する燃料コスト、又は前記エネルギー供給網から供給されるエネルギーを購入するための燃料コストが含まれること
を特徴とする設備機器運転計画生成装置。
【請求項５】
請求項１に記載の設備機器運転計画生成装置は、
前記設備機器のグループ分けに関する定義情報、及び前記機器単位特性情報に基づいて、前記設備機器の運転計画を生成するのに要する時間を見積もる処理時間見積もり部を更に備えること
を特徴とする設備機器運転計画生成装置。
【請求項６】
請求項１に記載の設備機器運転計画生成装置は、
気温情報又は湿度情報の内少なくとも一つを含む気象情報、及び需要実績情報に基づいて前記需要予測情報を生成する需要予測部を更に備えること
を特徴とする設備機器運転計画生成装置。
【請求項７】
請求項１に記載の設備機器運転計画生成装置であって、
前記設備機器に関するデータには、機器ＩＤ、機器名、定格出力、及び前記機器単位特性情報が含まれること
を特徴とする設備機器運転計画生成装置。
【請求項８】
請求項１に記載の設備機器運転計画生成装置であって、
前記機器単位特性情報は、発電機の定格出力に対する発電量の割合を示す負荷率に対する燃料消費量の特性情報が含まれること
を特徴とする設備機器運転計画生成装置。
【請求項９】
請求項１に記載の設備機器運転計画生成装置であって、
前記グループ単位計画生成部は、
前記グループに属する複数の設備機器を発電量に対する燃料消費量の効率が高い順で順位付けすること
を特徴とする設備機器運転計画生成装置。
【請求項１０】
エネルギー供給網から需要家へエネルギーを供給する複数の設備機器の運転計画を生成する設備機器運転計画生成方法において、
前記複数の設備機器を複数のグループに分け、前記設備機器の出力の大きさに対するエネルギー消費量を表す機器単位特性情報から、グループ単位の出力の大きさに対するエネルギー消費量を表すグループ単位特性情報を生成し、前記需要家の需要予測情報及び前記グループ単位特性情報に基づいて、前記グループにおける複数の設備機器を一つの設備機器と見做してグループ単位運転計画情報を生成し、前記グループ単位運転計画情報、及びそのグループに含まれる設備機器の前記機器単位特性情報に基づいて、設備機器毎の運転計画を生成することを特徴とする設備機器運転計画生成方法。
【発明の詳細な説明】
【技術分野】
【０００１】
本発明は，設備機器運転計画生成装置および方法に関する。
【背景技術】
【０００２】
近年、レジリエンスやガス料金等のランニングコストの低減などのニーズを背景に、小規模な電力系統をひとつの単位とし、この系統に接続する発電設備等を適切に運用する、いわゆる「マイクログリッド」の構築が活性化している。これまでのマイクログリッドは、ビル単体といった小規模なタイプが主流であった。今後はマイクログリッドの更なるランニングコスト低減のため、電力取引市場と取引するマイクログリッドが出現するようになると考えられる。電力取引市場で取引される電力の単位はＭＷ（メガワット）レベルであることから、マイクログリッド内には従来と比較して多くの発電設備が存在するようになることが想定される。発電設備の台数が増えることにより、これらの運転計画の生成に要する時間も従来と比較して増加する。一方、マイクログリッドが電力取引市場と電力を取引するためには、状況の変化に応じて発電設備等の運転計画を逐一更新する必要が生じる。電力取引市場への応札には期限があることから、応札期限までに発電設備等の運転計画の生成を完了しなければならない。
【０００３】
マイクログリッドの発電機等の運転計画生成に関する従来技術のひとつとして、特許文献１に記す技術がある。本文献には、複数の機器が設置されたプラント設備に接続される、機器の高効率運転に最適な運転計画を策定できる統合維持管理システムの技術が記されている。具体的には、統合維持管理システムは、複数の機器から収集したデータを保存するデータ収集機能、データに基づいて複数の機器の一運転周期内の運転時間帯を定めた運転スケジュールを策定する運転計画策定機能、上記運転スケジュールに基づいて各々の運転開始、終了時刻を設定する運転時刻設定機能を備え、運転計画策定機能において、機器の運転状態を評価し、運転状態が所定基準を満たさない機器（低評価機器）の運転時間を短縮し、短縮した運転時間相当分について、運転状態が一定基準を満たす機器（高評価機器）の運転時間を延長するように、運転スケジュールを修正するというものである。本技術の適用により、マイクログリッド内の発電設備等の全体としての運転効率が向上するため、ランニングコストを低減できるというメリットがある。
【先行技術文献】
【特許文献】
【０００４】
【特許文献１】特開２００９−１５７６２４
【発明の概要】
【発明が解決しようとする課題】
【０００５】
特許文献１に記載の技術は、運転計画の生成時間を短縮するものではないことから、多くの発電設備等が存在する大型マイクログリッドに対して運転計画を生成すると、電力取引市場の応札期限までに間に合わないリスクがある。
【課題を解決するための手段】
【０００６】
上記課題を解決するために，本発明は、エネルギー供給網から需要家へエネルギーを供給する複数の設備機器の運転計画を生成する設備機器運転計画生成装置において、前記複数の設備機器を複数のグループに分け、前記設備機器の出力の大きさに対するエネルギー消費量を表す機器単位特性情報から、グループ単位の出力の大きさに対するエネルギー消費量を表すグループ単位特性情報を生成するグループ単位特性生成部と、前記需要家の需要予測情報及び前記グループ単位特性情報に基づいて、前記グループにおける複数の設備機器を一つの設備機器と見做してグループ単位運転計画情報を生成するグループ単位計画生成部と、前記グループ単位運転計画情報、及びそのグループに含まれる設備機器の前記機器単位特性情報に基づいて、設備機器毎の運転計画を生成する設備単位計画生成部と、を備えること特徴とする。
【発明の効果】
【０００７】
本発明によれば，マイクログリッドに存在する発電設備等の運転計画を従来よりも短時間で生成することができる。
【図面の簡単な説明】
【０００８】
【図１】マイクログリッドと設備機器運転計画生成装置の全体構成
【図２】グループ定義データベース０１１１のデータテーブル
【図３】機器データベース０１１２の記録情報
【図４】計算時間見積もり機能０１１３のフローチャート
【図５】グループ単位特性生成機能０１１４の説明図
【図６】気象データベース０１１５のデータテーブル
【図７】需要実績データベース０１１６のデータテーブル
【図８】需要予測機能０１１７のフローチャート
【図９】グループ単位計画生成機能０１１８の説明図
【図１０】料金単価データベースのデータテーブル
【図１１】設備単位計画生成機能の説明図
【発明を実施するための形態】
【０００９】
図１はマイクログリッドと設備機器運転計画生成装置の全体構成である。０１０１はマイクログリッド、０１０２は設備機器運転計画生成装置である。
【００１０】
まず、マイクログリッド０１０１について記す。
【００１１】
マイクログリッド０１０１は、需要家０１０３、発電機０１０４、発電機０１０４を制御する制御装置０１０５、需要家０１０３と発電機０１０４が接続する配電線０１０６で構成される。
【００１２】
需要家０１０３は必要とする電力を配電線０１０４が受電する。受電する電力は、後述する発電機０１０４が発電する電力と、後述する電力系統０１０８から受電する電力と、のいずれか、もしくは両方である。本図では一例として３つの需要家がマイクログリッド０１０１に存在する場合を示した。
【００１３】
発電機０１０４は燃料を消費することにより発電する設備であり、制御装置０１０５の制御指令に応じて動作する。発電機０１０４が発電した電力を配電線０１０６へ送り出される。本図では一例として、５台の発電機がマイクログリッド０１０１に存在する場合を示した。
【００１４】
マイクログリッド０１０１はスイッチ（ＳＷ）０１０７を介して電力系統０１０８と接続される。０１０９はセンサーであり、需要家０１０３が消費する電力を測定し、測定結果を需要実績データベース０１１６へ記録する。
【００１５】
つぎに設備機器運転計画生成装置０１０２について記す。
【００１６】
設備機器運転計画生成装置０１０２は一般的なコンピュータでよい。マウスやキーボード等の入力機能と、モニターやプリンターといった出力機能を有している。また、外部の設備と情報をやり取りする入出力ポートを有している。
【００１７】
０１１０は入力機能であり、設備機器運転計画生成装置０１０２のオペレータが指示を入力する機能である。マウスやキーボード等が考えられる。オペレータは発電設備０１０４を複数のグループに分け、その結果を入力機能０１１０を介して入力する。入力した結果はグループ定義データベース０１１１へ記録される。また、オペレータは、入力機能０１１０を介して運転計画生成処理に要する処理時間の上限値を入力する。入力された処理時間の上限値は、図示しない記憶機能へ一時記録される。
【００１８】
０１１１はグループ定義データベースである。グループ定義データベース０１１１には発電機１０１４のそれぞれが所属するグループが記録されている。
【００１９】
０１１２は機器データベースである。機器データベースには発電機０１０４の定格出力や燃料消費特性の情報が記録されている。
【００２０】
０１１３は処理時間見積もり機能である。処理時間見積もり機能０１１３は、グループ定義データベース０１１１に記録された発電機０１０４のグループ分けの方法と、機器データベース０１１２に記録された機器特性の情報とから、発電機０１０４の運転計画を生成するのに要する時間を見積もる。見積もった処理時間の情報は、出力機能０１２１へ表示されるとともに、グループ単位特性生成機能０１１４へ送られる。さらに、見積もった処理時間の情報を、オペレータが入力機能０１１０を介して入力した処理時間の上限値と比較し、見積もった処理時間が上限値以下であれば「合格」そうでなければ「不合格」の結果を出力機能０１２１とグループ単位特性生成機能０１１４へ出力する。
【００２１】
０１１４はグループ単位特性生成機能である。グループ単位特性生成機能０１１４は、グループ定義データベース０１１１に記録された発電機０１０４のグループ分けの方法と、機器データベース０１０２に記録された発電機０１０４の機器特性の情報と、処理時間見積もり機能０１１３が出力する合否情報と、から、発電機０１０４が振り分けられたグループごとの燃料消費特性等の情報を生成する。なお、処理時間見積もり機能０１１３から送られてくる合否情報が「不合格」である場合には、本機能以降の処理は実行されない。この場合、オペレータは発電機０１０４に対する別のグループ分け方法を設定し、入力機能０１１０へ再度入力する。
【００２２】
０１１５は気象データベースである。気象データベース０１１５には、設備機器運転計画生成機能０１０２が運転計画を生成する際に必要となる気温情報や湿度情報が記録されている。気温情報や湿度情報は、過去実績に続いて当日の予報値が時系列で記録されている。これらの情報は、外部機関から取得する。
【００２３】
０１１６は需要実績データベースである。需要実績データベース０１１６には、センサー０１０９が記録した需要家０１０３の電力消費量の結果が記録されている。
【００２４】
０１１７は需要予測機能である。需要予測機能０１１７は、気象データベース０１１５の情報と、需要実績０１１６の情報とから、運転計画の生成に必要となる電力需要の予測情報を生成する。なお、生成する需要予測情報は、マイクログリッド０１０１に所属する需要家０１０３全体としての合計需要を予測したものである。電力需要の予測情報はグループ単位計画生成機能０１１８へ送られる。
【００２５】
０１１８はグループ単位計画生成機能である。グループ単位計画生成機能０１１８は、グループ単位特性生成機能０１１４の出力情報と、機器データベース０１１２の情報と、需要予測機能０１１７が出力する需要予測情報と、後述する料金単価データベース０１１１９の記録情報を用いて、発電機０１０４が振り分けられたグループ単位の運転計画を生成する。つまり、グループ単位の時刻に対する発電量のプロファイルを生成する。
【００２６】
０１１９は料金単価データベースである。料金単価データベース０１１９には、発電機０１０４が消費する燃料の単価の情報と、電力系統０１０８から購入する電力の単価が記録されている。
【００２７】
０１２０は設備単位計画生成機能である。設備単位計画生成機能０１２０は、グループ単位計画生成機能０１１８が生成した、グループ単位の運転計画から個々の発電機０１０４の運転計画を生成する。
【００２８】
０１２１は出力機能である。出力機能０１２１は、処理時間見積もり機能０１１３が出力する処理時間の見積もり結果と、処理時間が上限値以内であるか否かの合否情報、グループ単位計画生成機能０１１８が出力するグループ単位の運転計画情報と、設備単位計画生成機能０１２０が出力する発電機０１０４別の運転計画情報を出力する。
【００２９】
以降では、設備機器運転計画生成装置０１０２に属する各機能について詳述する。
【００３０】
図２はグループ定義データベース０１１１のデータテーブルの一例である。データテーブルの要素は、機器ＩＤ、機器名、グループである。機器ＩＤは、発電機０１０４のそれぞれに割り振られているＩＤである。機器名は発電機０１０４それぞれの名前である。グループはオペレータが入力機能０１１０を介して入力したものである。ここでは発電機１〜３がＧ１グループ、発電機４と５がＧ２グループに割り振られている。
【００３１】
図３は機器データベース０１１２の記録情報である。（１）はデータテーブルの一例である。データテーブルの要素は、機器ＩＤ、機器名、定格出力、燃料消費特性である。機器ＩＤは発電機０１０４のそれぞれに割り振られているＩＤである。機器名は発電機０１０４それぞれの名前である。定格出力は発電機０１０４それぞれの定格出力である。燃料消費特性は発電機０１０４の負荷率（＝定格出力に対する発電量の割合）に対する燃料消費量の特性である。ここでは説明簡単化のため、（２）に示すように、燃料消費量を負荷率に対する一次関数で表現し、その傾きと切片がデータテーブルへ記録されている。例えば、（２）において、発電機０１０４のＩＤが００１の発電機の燃料消費量Ｙ００１は、負荷率Ｘ００１に対して傾きａ００１、切片ｂ００１の一次関数で表現され、この傾きａ００１と切片ｂ００１が（１）のデータテーブルに記録される。なお、以降の説明では、発電機の燃料消費特性を一次関数で記しているが、必ずしも一次関数ではなくても良い。
【００３２】
図４は計算時間見積もり機能０１１３のフローチャートである。
【００３３】
Ｓ０４０１では、グループ数を認識する。具体的には、グループ定義データベース０１１１を参照し、グループ欄に記録されているグループの数を確認する。今回の例では、グループはＧ１とＧ２であるので、グループ数は２である。
【００３４】
Ｓ０４０２では、グループ別の機器数を確認する。Ｓ０４０１と同様にグループ定義データベース０１１１のグループ欄を参照し、各グループに含まれている機器数を確認する。今回の例では、グループＧ１に属する機器数は３、Ｇ２に属する機器数は２である。
【００３５】
Ｓ０４０３は、グループ単位のループである。
【００３６】
Ｓ０４０４では、運転計画の生成時間は機器数の増大に応じて長時間化する。計算式は様々なものが考えられるが、ここでは機器数に応じて処理時間が指数関数的に増加する場合を例示する。ここでは、運転計画の生成に要する時間を式１で計算できるとする。
ＴＧ＝Ｐ×Ｃｎ  ・・・式１
ただし、ＴＧはグループＧの機器個別の運転計画を生成するための処理時間、ＰとＣは定数、ｎはグループＧに属する機器数である。例えば、グループＧ１に属する発電機０１０４の運転計画の生成には、Ｇ１に属する発電機数は３なので、Ｐ×Ｃ３の時間を要する。
【００３７】
Ｓ０４０５では、全ての発電機０１０４の運転計画を生成するまでに要する時間を計算する。具体的には、グループ単位の運転計画生成に要する時間と、各グループで発電機ごとの運転計画に要する時間を合計する。計算式を式２に示す。
Ｔｔｏｔａｌ＝Ｐ×ＣＧ＋ΣＴＧ  ・・・式２
ただし、Ｔｔｏｔａｌは全ての発電機の運転計画を生成するのに要する時間、ＰとＣは定数、Ｇはグループ数、ＴＧはグループごとの発電機０１０４の運転計画生成の所要時間である。
【００３８】
Ｓ０４０６では、オペレータが入力機能０１１０へ入力した、処理時間の上限値を図示しない一時記憶機能を参照して認識する。
【００３９】
Ｓ０４０７では、Ｓ０４０５で計算した処理時間の計算値とＳ０４０６で認識した上限値とを比較する。そして、計算値が上限値以下であればフラグ１を図示しない一時記憶機能へ記録し、計算値が上限値より大きければフラグ０を一時記憶機能へ記録する。
【００４０】
図５はグループ単位特性生成機能０１１４の説明図である（１）はそのフローチャートである。
【００４１】
Ｓ０５０１にてグループ単位のループをする。具体的には、グループはＧ１とＧ２の二つあるので、以降の処理を２回実行する。
【００４２】
Ｓ０５０２は当該グループに属する設備機器の順位付けである。具体的には、発電量に対する燃料消費量の効率が良い順で順位付けする。すなわち機器データベース０１１２に記録された燃料消費特性の傾きａが小さな順とする。なお、傾きａの値が同じ場合は切片ｂの値が小さな順、更に切片ｂの値が同じ場合は定格出力Ｃの値が大きな順に順位付けする。
【００４３】
Ｓ０５０３はグループ単位の燃料消費特性の生成である。本図（２）はグループ単位の燃料消費特性の一例である。ここでは、発電機１、発電機２、発電機３が属するグループＧ１を想定した。そして、Ｓ０５０２にて、発電機１、発電機２、発電機３の順に順位付けされた場合を想定した。まず、順位１番目の発電機１について、傾きａ００１と切片ｂ００１の燃料消費量を引く。次に、順位２番目の発電機２について、発電機１の発電電力と燃料消費量に加算する形で、傾きａ００２と切片ｂ００２の燃料消費特性を引く。同様に、順位３番目の発電機３について、発電機１と発電機２の発電電力と燃料消費量に加算する形で、傾きａ００３と切片ｂ００３の燃料消費特性を引く。この手順により、必要発電電力に対して燃料消費量少なく、グループ単位の燃料消費特性を生成することができる。上記の処理を、各グループに対して実行する。
【００４４】
Ｓ０５０４はＳ０５０３で生成したグループ単位の燃料消費特性を出力する。
【００４５】
図６は気象データベース０１１５のデータテーブルの一例である。データテーブルには、日付、時刻、気温、湿度が記録されている。なお、過去の実績情報と、これから運転計画を生成しようとする時間帯の予報データとが連続して記録されている。
【００４６】
図７は需要実績データベース０１１６のデータテーブルの一例である。データテーブルには、日付、時刻、需要家ごとの電力需要の実績が記録されている。なお、電力需要の実績値は、センサー０１０９が記録したものである。
【００４７】
図８は需要予測機能０１１７のフローチャートである。
【００４８】
Ｓ０８０１にて、時刻のループをする。例えば、０時から１時間ごとにループする。
【００４９】
Ｓ０８０２では、気象データベース０１１５を参照し、時刻がループ処理Ｓ０８０１の時刻と一致する気象情報を取得する。このとき取得する気象情報は、過去分とこれから運転計画を生成する対象時間帯分の両方である。
【００５０】
Ｓ０８０３では、需要実績データベース０１１６を参照して、需要家０１０３電力需要の実績について、時刻がループ処理Ｓ０８０１の時刻と一致する時刻の情報を取得する。
【００５１】
Ｓ０８０４では、Ｓ０８０２とＳ０８０３で取得した情報を用いて、当該時刻におけるマイクログリッド０１０１全体の電力需要を予測する。予測手法は、例えばＭＢＲ（Ｍｅｍｏｒｙ  Ｂａｓｅｄ  Ｒｅｓｏｎｉｎｇ）を使用することが考えられる。
【００５２】
上記の処理時により、２４時間分の電力需要の予測情報を生成する。
【００５３】
図９はグループ単位計画生成機能０１１８の説明図である。（１）は本機能のフローチャートである。
【００５４】
Ｓ０９０１では、需要予測機能０１１７が生成した２４時間分の電力需要予測情報の内容を認識する。
【００５５】
Ｓ０９０２では、グループ単位特性の認識である。すなわち、グループ単位特性生成機能０１１４が生成した、各グループの発電電力に対する燃料消費量の特性を認識する。
【００５６】
Ｓ０９０３では料金単価を認識する。料金単価は料金単価データベース０１１９を参照して取得する。ここで図１０へ移動する。
【００５７】
図１０は料金単価データベースのデータテーブルの一例である。データテーブルの要素は、時刻、電力単価、燃料単価である。電力単価は電力供給事業者から電力を購入する際の単価であり、燃料単価は燃料供給事業者から燃料を購入する際の単価である。
【００５８】
図９へ戻る。Ｓ０９０４では、マイクログリッド０１０１の電力需要に対し、グループごとの燃料消費特性と、電力や燃料の単価と、から、電気代と燃料代を合算したコストが最小となるよう、各グループについて、時刻ごとの発電電力を最適化計算で定める。（２）はＳ０９０５を実行した後の結果の一例である。電力需要の予測値０９１０に対する発電量を、グループＧ１の発電量０９１１とグループＧ２の発電量０９１２とで配分した。
【００５９】
図１１は設備単位計画生成機能の説明図である。（１）はフローチャートである。
【００６０】
Ｓ１１０１はグループでのループである。具体的には、グループＧ１とグループＧ２のそれぞれについ以降の処理を実行する。
【００６１】
Ｓ１１０２では発電割り当て量を認識する。発電割当量は図９（２）に示す各グループの時刻別の発電量のことである。
【００６２】
Ｓ１１０３では機器単位燃料消費特性を認識する。機器単位の燃料消費特性は機器データベース０１１２を参照して、負荷率に対する傾きａと切片ｂの情報を認識する。
【００６３】
Ｓ１１０４では機器情報を認識する。具体的には、機器データベース０１１２を参照し、各発電機の定格出力を認識する。
【００６４】
Ｓ１１０５では料金単価を認識する。具体的には、料金単価データベース０１１９を参照し、電気料金と燃料料金の単価を取得する。
【００６５】
Ｓ１１０６では機器別の発電計画を生成する。具体的には、Ｓ１１０１のループで該当するグループに割り当てられた時刻別発電量に対し、当該グループに属する発電機の燃料消費特性と、電力や燃料の単価と、から、電気代と燃料代を合算したコストが最小となるように、各発電機の時刻ごとの発電電力を最適化計算で定める。（２）はグループＧ１における発電機別の運転計画を生成した結果の一例である。グループＧ１に割り当てられた発電量１１１０に対し、ＩＤ００１の発電機の運転計画が１１１１、ＩＤ００２の発電機の運転計画が１１１２、ＩＤ００３の発電機の運転計画が１１１３のように生成された。同様に（３）はグループＧ２における発電機別の運転計画を生成した結果の一例である。グループＧ２に割り当てられた発電量１１２０に対し、ＩＤ００４の発電機の運転計画が１１２１、ＩＤ００５の発電機に割り当てられた運転計画が１１２２のように生成された。
【００６６】
図１に戻る。出力機能０１２１には、処理時間見積もり機能０１１３が出力する処理時間の見積もり結果と、処理時間の見積もり結果が上限時間以下であるか否かの判定結果と、グループ単位計画生成機能０１１８が出力するグループ別発電量配分結果（図９の（２））と、設備単位計画生成機能０１２０が出力する発電機別の運転計画（図１１の（２）（３））がモニター等に出力される。さらに、発電機別の運転計画については、発電機０１０４の制御装置０１０５へ伝送され、当該の発電機０１０４が運転計画に沿って制御される。
【００６７】
なお，本発明は上記した実施例に限定されるものではなく，様々な変形例が含まれる。例えば上記した実施例は本発明を分かりやすく説明するために詳細に説明したものであり，必ずしも説明した全ての構成を備えるものに限定されるものではない。すなわち、例えば機器種別を発電機に限定しているが、必ずしも発電機に限定する必要は無く、発電機以外の設備が存在してもよい。また、マイクログリッドを想定した記載としたが、一般的な電力系統へ電力供給する大型発電機の運転計画を生成するケースに対しても、記載の手法を適用可能である。
【００６８】
本発明の効果として、複数の発電機を複数のグループに分け、まずグループ単位の運転計画を生成し、その後グループごとに発電機個別の運転計画を生成することにより、トータルとしての運転計画の生成時間を短縮できる。具体的には、運転計画の生成に要する時間が式１に示したように、機器台数に対して指数的に増加する場合には、５台の発電機の運転計画を生成するのに要する時間は式３で示される。
【００６９】
処理時間＝Ｐ×Ｃ５  ・・・式３
【００７０】
ここで、例えば、Ｐ＝１、Ｃ＝１０の場合、処理時間は１０５である。次に、本明細書の実施例に記載した方式を用いる場合の運転計画生成に要する所要時間は式４で示される。
【００７１】
処理時間＝Ｐ×Ｃ２＋Ｐ×Ｃ３＋Ｐ×Ｃ２  ・・・式４
【００７２】
なお、右辺第１項は、グループＧ１とＧ２についての発電量の割り当てに要する時間、右辺第２項は、グループＧ１に属する発電機（３台）の運転計画を生成するのに要する時間、右辺第３項はグループＧ２に属する発電機（２台）の運転計画を生成するのに要する時間である。ここで、上記と同じ条件で、Ｐ＝１、Ｃ＝１０とすると、運転計画の生成に要する時間は１０２＋１０３＋１０２、すなわち１２００である。従って、所要時間が式３の１００，０００から式４の１，２００へ大幅に減る。なお、運転計画の正確さについては、グループ分けせず発電機個別の発電電力を直接生成する場合と同じである。
【符号の説明】
【００７３】
０１０１  マイクログリッド
０１０２  設備機器運転計画生成装置
０１０３  需要家
０１０４  発電機
０１０５  制御装置
０１０６  配電線
０１０７  スイッチ
０１０８  電力系統
０１０９  センサー
０１１０  入力機能
０１１１  グループ定義データベース
０１１２  機器データベース
０１１３  処理時間見積もり機能
０１１４  グループ単位特性生成機能
０１１５  気象データベース
０１１６  需要実績データベース
０１１７  需要予測機能
０１１８  グループ単位計画生成機能
０１１９  料金単価データベース
０１２０  設備単位計画生成機能
０１２１  出力機能
【図１】
2018106431.tif 000003
【図２】
2018106431.tif 000004
【図３】
2018106431.tif 000005
【図４】
2018106431.tif 000006
【図５】
2018106431.tif 000007
【図６】
2018106431.tif 000008
【図７】
2018106431.tif 000009
【図８】
2018106431.tif 000010
【図９】
2018106431.tif 000011
【図１０】
2018106431.tif 000012
【図１１】
2018106431.tif 000013